(57)【特許請求の範囲】
【請求項１】
相手側コネクタのフード部の内側に嵌合するハウジングと、前記ハウジングに挿入されるリテーナとを有し、
前記ハウジングには、大小の端子を収容する複数のキャビティがその並列方向の中央部に小型の端子を、両端部に大型の端子を収容するように並列して設けられ、
前記リテーナは、
前記相手側コネクタに対する嵌合方向と直交する方向、かつ、前記キャビティの並列方向と直交する方向から前記ハウジングに挿入可能とされており、
前記小型の端子に係合可能な小型用係合部が中央部に、前記大型の端子に係合可能な大型用係合部が両端部になるように並列して設けられるとともに、該大型用係合部を含む大型用壁部から前記相手側コネクタの嵌合方向前方に向けて延びる底壁部を有する本体部と、
前記小型用係合部および前記大型用係合部の並列方向の両端に設けられて前記本体部から前記相手側コネクタへの嵌合方向前方へ突出するとともに前記底壁部と一体に連結された一対の側壁部とを有し、
前記小型用係合部は、前記相手側コネクタへの嵌合方向前方の係合面が前記大型用係合部の前記係合面よりも前記相手側コネクタへの嵌合方向前方とされ、前記一対の側壁部の前記相手側コネクタへの嵌合方向前方の面より後方とされ、かつ、前記底壁部の前記相手側コネクタへの嵌合方向前方の面とほぼ同等とされ、
前記小型用係合部を含む小型用壁部が前記底壁部と一体に連結されており、
前記側壁部のうち前記リテーナの前記ハウジングへの挿入方向の後端には、前記相手側コネクタへの嵌合方向の前端部から前記一対の側壁部の内側に向かって突出する補強部を前記底壁部と一体に設けたことを特徴とするコネクタ。
【発明の詳細な説明】
【技術分野】
【０００１】
本発明は、サイドタイプのリテーナが装着されるコネクタに関する。
【背景技術】
【０００２】
従来より、ハウジングの側面からリテーナを挿入して、端子の二重係止を図るコネクタが知られている。このようなサイドタイプのリテーナが装着されるコネクタのうち、相手側コネクタのフード部の内側に嵌合するものにおいては、リテーナが半挿入の場合には、ハウジングの側面から突出したリテーナの一部分がフード部に突き当たってコネクタを嵌合できないことで、リテーナが半挿入であることが検知される。これにより、リテーナは挿入し直され、端子は正規の位置に収容されて確実に二重係止される。
【０００３】
また、サイドタイプのリテーナには様々な形状のものがある。そのうちの一種として、端子に係合する複数の係合部が並列して設けられた本体部の両側（係合部の並列方向の両側）に、一対の側壁部を有するものがある（例えば特許文献１）。この種のリテーナは、一般に、側壁部が本体部よりも前方（相手側コネクタに対する嵌合方向の前方）に突出する形態をなし、本体部からの側壁部の突出寸法をコネクタの極数によって異なるものとすることで、正しい組み合わせで各コネクタに装着されるようになっている。
【特許文献１】特開２００１−３３２３３５公報
【発明の開示】
【発明が解決しようとする課題】
【０００４】
ところが、上記のような側壁部を有するリテーナは、リテーナが半挿入の場合には、側壁部の前端のみがフード部に突き当たることになる。このため、コネクタを勢い良く嵌合させたときなどには側壁部が変形もしくは破損等し、リテーナが半挿入であるにもかかわらずコネクタの嵌合動作が行われてしまうことが懸念される。
【０００５】
そこで、リテーナの半挿入を確実に検知するために、側壁部の壁厚を増やして強度の向上を図ることが考えられる。しかし、そうするとコネクタが幅方向に大型化してしまうという問題がある。
また、一対の側壁部の内側に、両側壁部の下端（リテーナが半挿入のときにフード部に当接する部分）同士を一体的に連結する連結部を設けて、側壁部を補強することも考えられる。しかしながら、このようにした場合には、ハウジングの壁（リテーナの挿入口が設けられている壁）に、連結部を収容するための凹みを設けなければならず、その分ハウジングの壁が幅方向にわたって薄くなってしまうという問題がある。ハウジングの壁が薄くなると、ハウジングの強度が低下し、また樹脂の流れが悪くなるので、特に、端子に一次係止するランスへの樹脂流れに与える影響が懸念される。そして、この問題に対処するべくハウジングの壁を厚く設定すると、その分コネクタが高さ方向に大型化し、材料費も増加してしまうという問題がある。
【０００６】
本発明は上記のような事情に基づいて完成されたものであって、コネクタの大型化を招くことなく、リテーナの半挿入検知を確実に行うことができるコネクタを提供することを目的とする。
【課題を解決するための手段】
【０００７】
本発明は、相手側コネクタのフード部の内側に嵌合するハウジングと、前記ハウジングに挿入されるリテーナとを有し、前記ハウジングには、大小の端子を収容する複数のキャビティがその並列方向の中央部に小型の端子を、両端部に大型の端子を収容するように並列して設けられ、前記リテーナは、前記相手側コネクタに対する嵌合方向と直交する方向、かつ、前記キャビティの並列方向と直交する方向から前記ハウジングに挿入可能とされており、前記小型の端子に係合可能な小型用係合部が中央部に、前記大型の端子に係合可能な大型用係合部が両端部になるように並列して設けられるとともに、該大型用係合部を含む大型用壁部から前記相手側コネクタの嵌合方向前方に向けて延びる底壁部を有する本体部と、前記小型用係合部および前記大型用係合部の並列方向の両端に設けられて前記本体部から前記相手側コネクタへの嵌合方向前方へ突出するとともに前記底壁部と一体に連結された一対の側壁部とを有し、前記小型用係合部は、前記相手側コネクタへの嵌合方向前方の係合面が前記大型用係合部の前記係合面よりも前記相手側コネクタへの嵌合方向前方とされ、前記一対の側壁部の前記相手側コネクタへの嵌合方向前方の面より後方とされ、かつ、前記底壁部の前記相手側コネクタへの嵌合方向前方の面とほぼ同等とされ、前記小型用係合部を含む小型用壁部が前記底壁部と一体に連結されており、前記側壁部のうち前記リテーナの前記ハウジングへの挿入方向の後端には、前記相手側コネクタへの嵌合方向の前端部から前記一対の側壁部の内側に向かって突出する補強部を前記底壁部と一体に設けたことに特徴を有する。
【０００８】
このような構成によれば、リテーナが半挿入のときにフード部に突き当たる部分の強度が増しているから、この部分が損傷等して相手側コネクタとの嵌合作業が行われてしまうことを防止でき、確実にリテーナの半挿入を検知することができる。そして、このような補強部を、側壁部のうちリテーナの挿入方向の後端に設け、側壁部の前端部から内側に突出するものとしたから、側壁部の全体の厚さを増やす必要はなく、コネクタを幅方向（キャビティの並列方向）に大型化しなくて済む。また、ハウジングの壁のうち補強部を収容する凹みを設けるために薄くなる部分は、ハウジングの両端部だけで済むので、樹脂流れに与える影響を最小に留めることができ、ハウジングの壁を厚くしなくて済む。すなわち、本発明の構成によれば、コネクタの大型化を招くことなく、リテーナの半挿入検知を確実に行うことができる。
【０００９】
また、このような構成によれば、ハウジングのうち幅方向の両端の壁の厚さは、ハウジングの両端部に小型の端子を収容する場合に比べて必然的に大きくなる。したがって、ハウジングのうち必然的に壁厚の大きくなる部分に、補強部を収容する凹みが設けられる構造となるから合理的であり、樹脂流れに与える影響をさらに小さくすることができる。
【発明の効果】
【００１０】
本発明によれば、コネクタの大型化を招くことなく、リテーナの半挿入検知を確実に行うことができるコネクタを提供することができる。
【発明を実施するための最良の形態】
【００１１】
以下、本発明の実施形態を図１〜図７によって説明する。
本実施形態におけるコネクタＣは、大小の端子を混在して収容する、いわゆるハイブリッドタイプのコネクタであり、フード部５２を有する相手側コネクタ５０に嵌合可能なものである。以下、各構成部材において、両コネクタＣ，５０における嵌合面側を前方とし、また、図２の上側を上方、下側を下方、左側を左方、右側を右方として説明する。
【００１２】
相手側コネクタ５０は合成樹脂製のハウジング５１を有し、このハウジング５１の略前半部分には、前方に開口する筒状のフード部５２が設けられている。フード部５２内には、ハウジング５１に保持された図示しない相手側端子のタブが、前方に突出して配される。また、フード部５２の下壁には、上方に立ち上がる一対のリブ（図示せず）が設けられている。
【００１３】
コネクタＣは、相手側コネクタ５０のフード部５２の内側に嵌合する合成樹脂製のハウジング１０を有している。このハウジング１０には、許容電流値の大小に対応して大小２種類の端子（図示せず）が収容される。端子は、それぞれ図示しない電線の端末部に接続されるとともに相手側端子のタブと電気的に接続可能な接続部を有している。なお、高電流用の大型の端子と低電流用の小型の端子とでは、接続部の前後長が異なっている。
【００１４】
ハウジング１０の幅方向（左右方向）の両端部には、大型の端子を収容する大型キャビティ１２Ａが形成され、中央部には小型の端子を収容する小型キャビティ１２Ｂが形成されている（図２参照）。大型キャビティ１２Ａおよび小型キャビティ１２Ｂは、それぞれ上下２段にわけて形成され、各段において大型キャビティ１２Ａおよび小型キャビティ１２Ｂは、幅方向に略同一高さに並列している。
【００１５】
大型キャビティ１２Ａは、ハウジング１０の両端部に４つずつ設けられ、上段の大型キャビティ１２Ａと下段の大型キャビティ１２Ａとは上下方向に揃う位置に配されている。また、小型のキャビティ１２Ｂは、上段に６つ、下段に４つが設けられている。上段の小型キャビティ１２Ｂは、幅方向に等間隔で配され、下段の小型キャビティ１２Ｂは、上段の小型キャビティ１２Ｂと上下方向に揃う位置に形成されるとともに、下段の小型キャビティ１２Ｂのうち最も外端に配された小型キャビティ１２Ｂの内側には、フード部５２のリブが通過可能なリブ挿入溝１３が形成されている。
【００１６】
大型キャビティ１２Ａ群と小型キャビティ１２Ｂ群との間には、隣り合う小型キャビティ１２Ｂの間の間隔よりも若干大きい間隔が空けられている。また、ハウジング１０の周壁のうち下壁１０Ｕは、大型キャビティ１２Ａの下方の部分が小型キャビティ１２Ｂの下方の部分よりも若干厚くなっている。また、ハウジング１０の周壁のうち左壁１０Ｌおよび右壁１０Ｒは、例えば小型キャビティのみが形成されたハウジングの左壁および右壁、または両端部に小型キャビティが形成されたハウジングの左壁および右壁よりも厚くされている。
【００１７】
大小いずれのキャビティ１２Ａ，１２Ｂも、ハウジング１０の前後方向に貫通して形成されている。各キャビティ１２Ａ，１２Ｂの壁面には、上下方向に弾性変位可能とされた片持ち状のランス１４Ａ，１４Ｂがそれぞれ形成されている。大型の端子と小型の端子とが、それぞれ各キャビティ１２Ａ，１２Ｂに正規の深さ位置に収容されると、各端子の接続部の後端にランス１４Ａ，１４Ｂが弾性的に係合して各端子の抜け止めがなされる（一次係止）。なお、各端子が各キャビティ１２Ａ，１２Ｂの正規の深さ位置に収容された状態では、小型の端子の接続部同士、および大型の端子の接続部同士の後端位置は左右方向に揃えられ、また大型の端子の接続部の後端は、小型の端子の接続部の後端よりも後方に位置する。
【００１８】
そして、ハウジング１０の下壁１０Ｕには、端子に二次係止するリテーナ２０が挿入されるリテーナ挿入口１５が開口している。リテーナ挿入口１５に関しては、リテーナ２０について説明した後、詳しく説明する。
【００１９】
コネクタＣは、下方（相手側コネクタ５０に対する嵌合方向の側方）からハウジング１０に挿入されるリテーナ２０を有している。リテーナ２０は、ハウジング１０の幅方向（左右方向）の寸法と略同等の幅寸法を備えた横長形状をなしている。
【００２０】
リテーナ２０の本体部２１には、大型キャビティ１２Ａおよび小型キャビティ１２Ｂの前後方向の中間部分にそれぞれ挿入される大型用壁部２１Ａと小型用壁部２１Ｂとが設けられている。大型用壁部２１Ａは、小型用壁部２１Ｂの左右両側に設けられ、大型用壁部２１Ａは、小型用壁部２１Ｂよりも前後方向の幅寸法が小さくされている。
【００２１】
大型用壁部２１Ａの前方には、底壁部２２が設けられている。底壁部２２は、大型用壁部２１Ａの下端と小型用壁部２１Ｂの下端と後述する側壁部３１の下端とに一体に設けられた略水平の板状をなしている。この底壁部２２は、リテーナ２０が本係止位置に取り付けられると、リテーナ挿入口１５のうち大型用壁部２１Ａの前方の部分を塞いだ状態になる。なお、リテーナ挿入口１５のうち他の部分は、それぞれ小型用壁部２１Ｂ、大型用壁部２１Ａおよび側壁部３１により塞がれる。
【００２２】
リテーナ２０は、各端子の挿抜を許容する仮係止位置と各端子を抜け止め状態に係止する本係止位置との間を移動可能とされている。リテーナ２０は、本係止位置に保持されたときには、全体がハウジング１０の内部に収まり、リテーナ２０の下面はハウジング１０の下面と面一になる。また、リテーナ２０は、仮係止位置に保持されたときには、リテーナ２０の下端部がハウジング１０の下方に突出して配され、底壁部２２の全体がハウジング１０から下方に突出した状態になる（図２参照）。
【００２３】
底壁部２２の一部分は、他の部分よりも後方へ凹んだ形状とされている（以後、この凹んだ部分を治具当て部２２Ａと称する）。治具当て部２２Ａの前縁とリテーナ挿入口１５の前縁との間には、治具を差し入れ可能な隙間が空く（図７参照）。この隙間に治具の先端を差し入れることで、ハウジング１０に挿入されたリテーナ２０を容易に取り外すことができる。治具当て部２２Ａの上面は、前方へ向かって板厚が薄くなる向きに傾斜している（図３参照）。
【００２４】
大型用壁部２１Ａおよび小型用壁部２１Ｂには、大型貫通孔２３Ａおよび小型貫通孔２３Ｂがそれぞれ前後方向に貫通して形成されている。大型貫通孔２３Ａおよび小型貫通孔２３Ｂは、リテーナ２０が本係止位置に装着されると、下段に形成された大型キャビティ１２Ａおよび小型キャビティ１２Ｂにそれぞれ連通する。また、大型貫通孔２３Ａおよび小型貫通孔２３Ｂの天井となっている上板部２４は、上段の大型キャビティ１２Ａおよび小型キャビティ１２Ｂの下壁を構成する部分であり、この上板部２４の上面には、上段の各大型キャビティ１２Ａおよび各小型キャビティ１２Ｂを仕切る隔壁の位置にあわせて仕切壁２５が設けられている。
【００２５】
そして、リテーナ２０の本体部２１には、大型キャビティ１２Ａおよび小型キャビティ１２Ｂに収容された大型端子および小型端子に係合する複数の大型用係合部２６Ａおよび小型用係合部２６Ｂが幅方向に並列して設けられている。
【００２６】
大型用係合部２６Ａおよび小型用係合部２６Ｂは、各大型貫通孔２３Ａおよび小型貫通孔２３Ｂに一ずつ、また上板部２４の各仕切壁２５の間に一ずつ設けられている。大型用係合部２６Ａおよび小型用係合部２６Ｂは、リテーナ２０が仮係止位置にあるときにはそれぞれ大型端子および小型端子と干渉しない位置に退避し、本係止位置に移動したときには各キャビティ１２Ａ，１２Ｂに突出して各端子の接続部の後端に係止する。なお、大型用係合部２６Ａおよび小型用係合部２６Ｂの係合面２７Ａ，２７Ｂ（前面）は、それぞれ大型用壁部２１Ａおよび小型用壁部２１Ｂの前面と面一に形成され、大型用係合部２６Ａの係合面２７Ａは、小型用係合部２６Ｂの係合面２７Ｂよりも後方に位置している。
【００２７】
リテーナ２０の幅方向の両端には、一対の側壁部３１が設けられている。各側壁部３１は、リテーナ２０の本体部２１から前方および後方に突出する壁状をなしている（図５参照）。各側壁部３１は、大型用壁部２１Ａから前方および後方に略同一寸法だけ突出している。また、側壁部３１は、小型用壁部２１Ｂおよび底壁部２２よりも前方に突出している。なお、リテーナ２０全体を上下方向から見ると略Ｈ型をなしている。
【００２８】
一対の側壁部３１の前端および後端には、上方へ立ち上がる一対の係止アーム３２が設けられている。一対の係止アーム３２は互いに対向方向に弾性変位可能とされている。各係止アーム３２の先端には、互いの対向方向とは反対側へ突出する係止部３２Ａが設けられ、一対の係止アーム３２のうち後側の係止アーム３２はハウジング１０の仮係止突起（図示せず）に係合し、前側の係止アーム３２は本係止突起（図示せず）に係合する。これによりリテーナ２０は、仮係止位置および本係止位置にそれぞれ保持される。
【００２９】
また、各側壁部３１には、一対の係止アーム３２の間において上方へ立ち上がる中間壁３３が設けられている。中間壁３３の前後方向の幅寸法は、各係止アーム３２の前後方向の幅寸法よりも大きく、大型用壁部２１Ａの前後方向の幅と同等の寸法とされている。各側壁部３１は、大部分が大型用壁部２１Ａと一体に形成され、上端部のみが大型用壁部２１Ａの上方へ突出している。なお、係止アーム３２と中間壁３３とは、略同一の高さ寸法を有している。
【００３０】
そして、各側壁部３１の突出部分の下端（リテーナ２０のハウジング１０への挿入方向の後端）には、補強部３４が設けられている。補強部３４は、各側壁部３１の下端から内側（一対の側壁部３１の対向方向）へ突出する板状をなしている。補強部３４は、側壁部３１の下端から連続して略垂直方向に屈曲された形状をなし、リテーナ２０を前方から見ると、補強部３４と側壁部３１とが略Ｌ型をなしている（図４参照）。補強部３４の前後方向の寸法は、側壁部３１の底壁部２２からの突出寸法と等しくされ、補強部３４の前端面と側壁部３１の前面とは平坦な面（以後、突当面３５と称する）を形成している。突当面３５は、リテーナ２０の本体部２１の前面と略平行をなし、コネクタＣ，５０の嵌合方向に対して略直交をなしている。この突当面３５は、正面から見ると略Ｌ型をなしている。
【００３１】
補強部３４は、底壁部２２と同等の厚さ寸法（上下方向の寸法）を有し、底壁部２２と一体に形成されている。補強部３４は、底壁部２２から前方へ突出するとともに側壁部３１から内側へ突出する形態とされ、上下方向から見ると略正方形をなしている。補強部３４の左右方向の寸法は、各側壁部３１の壁厚寸法よりも若干大きく、また底壁部２２のうち治具当て部２２Ａと側壁部３１との間の部分と略同一の寸法とされている。
【００３２】
リテーナ挿入口１５は、全体としてハウジング１０の幅方向（各キャビティ１２Ａ，１２Ｂの並列方向）に長い略長方形状をなしている（図７参照）。リテーナ挿入口１５の両端部は、リテーナ２０の側壁部３１が挿入される側壁挿入部１６とされ、また、側壁挿入部１６の間の部分は、リテーナ２０の本体部２１が挿入される本体挿入部１７とされている。
【００３３】
本体挿入部１７は、全体として幅方向に細長い略長方形をなし、その前後方向の幅寸法は、略全幅にわたりリテーナ２０の小型用壁部２１Ｂの前後方向寸法と同等とされている。そして、本体挿入部１７の上方には、下段の大型キャビティ１２Ａおよび小型キャビティ１２Ｂの前後方向の中間部を分断して上段の各キャビティ１２Ａ，１２Ｂに連通する空洞が形成されている。また、本体挿入部１７の上方に形成された空洞のうちリテーナ２０の大型用壁部２１Ａが挿入される部分の前後方向の幅寸法は、大型用壁部２１Ａの前後方向の幅寸法に合わせて狭くされている。これにより、本体挿入部１７のうち大型用壁部２１Ａが挿入される部分には、底壁部２２の厚さ寸法と同等の深さ寸法で底壁収容部１８が凹み形成される形態となり、リテーナ２０が本係止位置にあるときには底壁収容部１８に底壁部２２が嵌まった状態になる。
【００３４】
側壁挿入部１６は、全体として前後方向に細長い略長方形をなし、その前端部および後端部は、本体挿入部１７から前方および後方に突出している。両側壁挿入部１６は、ハウジング１０の左壁１０Ｌおよび右壁１０Ｒに形成されている（図２参照）。各側壁挿入部１６の上方には、側壁部３１が収容される空洞が形成され、その壁面には側壁部３１の係止アーム３２が係止可能な仮係止突起および本係止突起が形成されている。なお、本係止突起は後側の壁面に、仮係止突起は前側の壁面に形成され、また本係止突起は仮係止突起よりも深い位置（上方の位置）に形成されている。
【００３５】
そして、本体挿入部１７の幅方向の両端には、リテーナ２０の補強部３４が収容される補強収容部１９が形成されている。補強収容部１９は、本体挿入部１７の底壁収容部１８および側壁挿入部１６と連続してハウジング１０の下壁１０Ｕに凹み形成されたものであり、その深さ寸法は、底壁収容部１８の深さ寸法と同等である。補強収容部１９は、その大部分が、ハウジング１０の左壁１０Ｌまたは右壁１０Ｒの範囲内に形成されている。
【００３６】
なお、ハウジング１０の下壁１０Ｕには、治具用凹部１８Ａが形成されている。治具用凹部１８Ａは、リテーナ挿入口１５の周縁部のうち治具当て部２２Ａが収容される部分の前方に形成されている。治具用凹部１８Ａは、リテーナ挿入口１５の底壁収容部１８よりも浅く凹み形成されたものであり、治具当て部２２Ａへの治具の挿入を容易にしている。
【００３７】
次に、上記のように構成された本実施形態の作用および効果について説明する。
まず、コネクタＣを相手側コネクタ５０に嵌合する前に、リテーナ２０を仮係止位置に保持して後方から各端子を各キャビティ１２Ａ，１２Ｂに挿入し、全ての端子を挿入した後で、リテーナ２０を本係止位置へ押し込む。すると、リテーナ２０の大型用係合部２６Ａおよび小型用係合部２６Ｂがそれぞれ端子に係合し、各端子は、ランス１４Ａ，１４Ｂとリテーナ２０とにより二重に抜け止めされた状態になる。そして、コネクタＣを相手側コネクタ５０に向けて押し込むと、ハウジング１０の内部に完全に収容されたリテーナ２０がフード部５２と干渉することはないので、ハウジング１０はフード部５２の内側にスムーズに嵌合し、両コネクタＣ，５０は正規の嵌合状態に至る。
【００３８】
一方、端子を各キャビティ１２Ａ，１２Ｂに挿入し終えた後に、リテーナ２０を本係止位置に移動させることを失念してしまったり、リテーナ２０を本係止位置に移動させたつもりでも、完全にリテーナ２０が押し込まれないで留め置かれてしまったりする場合がある。このような場合には、リテーナ２０はハウジング１０から下端部が突出した状態になり、コネクタＣを相手側コネクタ５０に向けて押し込むと、下端部において最も前側に位置する突当面３５がフード部５２の開口端に突き当たり、それ以上の嵌合動作が規制される。これにより、リテーナ２０が本係止位置に完全に押し込まれないで半挿入状態となっていることが検知される。ここで、従来のように、側壁部の前端のみがフード部５２に付き当たる構成の場合には、側壁部が破損等して両コネクタが無理に嵌合してしまい、リテーナが半挿入であることを検知できないおそれがある。そうすると、端子を確実に二重係止することができないおそれがある。また、リテーナ２０は、本係止位置に押し込まれる際に、端子が正規の深さまで挿入されていない場合には、端子を前方へ押して正規の位置に至らしめる機能を有している。しかし、端子およびリテーナが半挿入のままでコネクタが無理に嵌合すると、中途半端に押し込まれたリテーナ２０が、端子を変形させてしまう事態も懸念される。
【００３９】
しかしながら、本実施形態においては、側壁部３１の突出端部に内側に突出する補強部３４を設けることで、リテーナ２０が半挿入のときにフード部５２に突き当たる部分の強度が増しているから、この部分が損傷等して相手側コネクタ５０との嵌合作業が行われてしまうことを防止でき、確実にリテーナ２０の半挿入を検知することができる。そして、このような補強部３４を、側壁部３１の下端のみに設け、各側壁部３１の前端部から内側に突出するものとしたから、側壁部３１の全体の厚さを増やす必要はなく、コネクタＣを幅方向（キャビティ１２Ａ，１２Ｂの並列方向）に大型化しなくて済む。また、補強部３４は、リテーナ２０の本体部２１の両端部のみに形成されているので、補強部３４を収容するためにハウジング１０の下壁１０Ｕが薄くなる部分（補強収容部１９が形成された部分）は、ハウジング１０の両端部だけで済む。したがって、樹脂流れに与える影響は最小に留められるので、ハウジング１０の壁を厚くしなくて済む。すなわち、本発明の構成によれば、コネクタＣの大型化を招くことなく、リテーナ２０の半挿入検知を確実に行うことができる。
【００４０】
なお、側壁部３１と補強部３４とは一体に設けられているから、ハウジング１０が相手側コネクタ５０に対して斜めに傾いて押し込まれた場合にも側壁部３１の損傷等を防ぐことができる。すなわち、補強部と側壁部とをリテーナの幅方向に離れた位置に形成した場合には、ハウジングがフード部５２に対して若干斜めに押し込まれたときには、補強部と側壁部とのいずれかのみに突き当たってしまい、損傷等を免れないおそれがある。しかし、本実施形態では、側壁部３１と補強部３４とは一体に設けられているので、突き当たる力は必ず側壁部３１と補強部３４とに分担して受け持たれ、ハウジング１０が斜めに押し込まれても確実にリテーナ２０の半挿入を検知することができる。
【００４１】
また、ハウジング１０は、大小の端子が収容されるものであって、ハウジング１０のうち幅方向の中央部に小型の端子を、両端部に大型の端子を収容するものであるから、ハウジング１０の左壁１０Ｌおよび右壁１０Ｒの厚さは、ハウジングの両端部に小型の端子を収容する場合に比べて必然的に大きくなる。したがって、ハウジング１０のうち必然的に壁厚の大きくなる部分に、補強部３４を収容する補強収容部１９が設けられる構造となるから合理的である。
【００４２】
＜他の実施形態＞
本発明は上記記述及び図面によって説明した実施形態に限定されるものではなく、例えば次のような実施形態も本発明の技術的範囲に含まれる。
【００４３】
（１）本実施形態では、本発明を、いわゆるハイブリッドタイプのコネクタＣに適用したが、これに限らず、本発明は様々なタイプのコネクタＣに適用することができる。
（２）本実施形態では、補強部３４は、底壁部２２から前方へ突出するとともに側壁部３１から内側へ突出する形態とされ、上下方向から見ると略正方形をなしているが、補強部３４の形状はこれに限らず、例えば、後方へ向かって左右方向の幅が少しずつ小さくなる台形状とされていてもよい。
【図面の簡単な説明】
【００４４】
【図１】本実施形態のコネクタにおいて半挿入のリテーナがフード部に突き当たった様子を表す断面図
【図２】リテーナが仮係止位置に保持されているコネクタの正面図
【図３】リテーナの外観斜視図
【図４】同正面図
【図５】同平面図
【図６】図４のＡ−Ａ断面図
【図７】半挿入のリテーナがフード部に突き当たった様子を表す下面図
【符号の説明】
【００４５】
Ｃ…コネクタ
１０…ハウジング
１２Ａ，１２Ｂ…キャビティ
２０…リテーナ
２１…本体部
２６Ａ…大型用係合部
２６Ｂ…小型用係合部
３１…側壁部
３４…補強部
５０…相手側コネクタ
５２…フード部
【図１】
0005181843.tif 000002
【図２】
0005181843.tif 000003
【図３】
0005181843.tif 000004
【図４】
0005181843.tif 000005
【図５】
0005181843.tif 000006
【図６】
0005181843.tif 000007
【図７】
0005181843.tif 000008